(57)【要約】基地局は、多記号ビーコン／タイミング同期信号を生成して、送信する。多記号ビーコン／タイミング同期信号は、（ｉ）本体部分と、本体部分に先行し、本体部分の末端部分から生成される循環プレフィックスとを含む冒頭記号と、（ｉｉ）冒頭記号の直ぐ後に続く拡張記号とを含む。拡張記号は、拡張記号の開始点から始まる本体部分の第１コピーを含む。本体部分の第１コピーの直ぐ後には、本体部分の冒頭部分のコピーである切捨て部分が続く。多記号ビーコン／タイミング同期信号は、単一の高電力のビーコントーン、同期信号を備える複数の低電力トーン、および複数の意図的ゼロトーンを含む。各トーンの指定は、冒頭記号と拡張記号の両方について、同一のままである。
2009524359.tif 000002
【特許請求の範囲】
【請求項１】
基地局送信機を操作する方法であって、
多記号信号を生成するステップであって、循環プレフィックス部分と、前記循環プレフィックス部分の直ぐ後に続く本体部分とを含む冒頭記号を生成することと、前記多記号信号の中で前記冒頭部分の直ぐ後に続く記号拡張部分であって、該記号拡張部分の開始点から前記本体部分の第１コピーを含む記号拡張部分を生成することとを含むステップと、
前記生成された多記号信号を送信することとを備える方法。
【請求項２】
循環プレフィックス部分を含む冒頭記号を生成することが、前記循環プレフィックスとして前記本体部分の末端部分をコピーすることを含み、該末端部分は前記循環プレフィックスとして使用される請求項１に記載の方法。
【請求項３】
前記多記号信号がＯＦＤＭ信号である請求項２に記載の方法。
【請求項４】
前記拡張部分が、少なくとも１つのＯＦＤＭ記号期間の継続期間を有し、少なくとも第１拡張記号を含む請求項３に記載の方法。
【請求項５】
前記本体部分の切捨て部分を前記第１拡張記号の中に含めることであって、前記切捨て部分が前記本体部分の冒頭部分を含み、前記拡張記号の前記切捨て部分が前記本体部分の前記第１コピーの直ぐ後に続くことをさらに備える請求項４に記載の方法。
【請求項６】
前記冒頭記号と前記拡張部分とが各々、ビーコン信号を運ぶために、前記冒頭記号と前記拡張部分との両方の中で使用される単一トーンを含み、前記送信機が、前記冒頭記号の中の任意の別のトーンよりも、より多くのエネルギーを前記単一トーンに配置する請求項３に記載の方法。
【請求項７】
前記単一トーンに配置されるトーン当たりエネルギーが、前記冒頭記号の中に含まれる任意の別のトーンよりも少なくとも６ｄｂ高い請求項６に記載の方法。
【請求項８】
冒頭記号の本体部分と拡張記号の本体部分とが各々複数のトーンを含み、同期信号に対応する複数のトーンを前記冒頭記号の本体部分と前記拡張部分の本体部分との両方の中に含めることであって、前記同期信号のために使用される前記複数のトーンが、前記冒頭記号と前記拡張部分との両方の中で同じであることをさらに備える請求項６に記載の方法。
【請求項９】
複数のゼロトーンを前記冒頭記号と前記拡張部分との両方の中に含めることであって、前記同期信号のために使用される前記複数のゼロトーンが前記冒頭記号と前記拡張部分との中で同じである請求項８に記載の方法。
【請求項１０】
前記冒頭ＯＦＤＭ記号が、前記冒頭ＯＦＤＭ記号の期間の間に、前記基地局によって送信されるダウンリンクトーンの全セットを含む請求項６に記載の方法。
【請求項１１】
前記ダウンリンクトーンの全セットが、１１３トーンと３３９トーンとのうちの１つを含む請求項１０に記載の方法。
【請求項１２】
第１ＯＦＤＭユーザデータ記号を生成することであって、
ｉ）少なくとも何らかのユーザデータを含む第１ユーザデータ本体部分を生成することと、
ｉｉ）前記第１ユーザデータ記号の中で前記ユーザデータ循環プレフィックス部分の直ぐ後に続く前記第１ユーザデータ本体部分のコピーである第１ユーザデータ循環プレフィックスを生成することとを含むことと、
前記第１ユーザデータ記号を送信することとをさらに備える請求項３に記載の方法。
【請求項１３】
第２ＯＦＤＭユーザデータ記号を生成することであって、
ｉ）少なくとも何らかのさらなるユーザデータを含む第２ユーザデータ本体部分を生成することと、
ｉｉ）前記第２ユーザデータ記号の中で前記第２ユーザデータ循環プレフィックス部分の直ぐ後に続く前記第２ユーザデータ本体部分の一部のコピーである第２ユーザデータ循環プレフィックスを生成することとを含むことと、
前記第２ユーザデータ記号を送信することとをさらに備える請求項１２に記載の方法。
【請求項１４】
第１および第２ユーザデータ記号の各トーンが、前記冒頭記号の中の最高のトーン当たり電力レベルよりも少なくとも６ｄＢ低いトーン当たり電力レベルで送信される請求項１３に記載の方法。
【請求項１５】
多記号信号を生成するための信号発生器であって、
循環プレフィックス部分と、前記循環プレフィックス部分の直ぐ後に続く本体部分とを含む冒頭記号を生成するための冒頭記号生成モジュールと、
前記多記号信号の中で前記冒頭記号の直ぐ後に続く記号拡張部分であって、該記号拡張部分の開始点から前記本体部分の第１コピーを含む記号拡張部分を生成するための記号拡張生成モジュールとを含む信号発生器と、
前記生成された多記号信号を複数の連続記号として送信するための、前記信号発生器モジュールに結合された送信機とを備える基地局。
【請求項１６】
前記冒頭記号生成モジュールが、前記本体部分の末端部分をコピーすることによって、循環プレフィックス部分を生成する循環プレフィックス生成モジュールを含む請求項１５に記載の基地局。
【請求項１７】
前記送信機がＯＦＤＭ信号送信機である請求項１６に記載の基地局。
【請求項１８】
前記拡張部分が、少なくとも１つのＯＦＤＭ記号期間の継続期間を有し、少なくとも第１拡張記号を含む請求項１７に記載の基地局。
【請求項１９】
前記本体部分の切捨て部分を前記第１拡張記号の中に含めるための切捨てモジュールであって、前記切捨て部分は前記本体部分の冒頭部分を含み、前記拡張部分における前記切捨て部分が、前記本体部分の前記第１コピーの直ぐ後に続けられる切捨てモジュールをさらに備える請求項１８に記載の基地局。
【請求項２０】
前記冒頭記号と前記拡張部分とが各々、ビーコン信号を運ぶために前記冒頭記号と前記拡張部分の両方の中で使用される単一トーンを含み、前記基地局が、前記冒頭記号の中の任意の別のトーンよりも、より大きなエネルギーを前記単一トーンに配置するための電力測定モジュールをさらに備える請求項１７に記載の基地局。
【請求項２１】
前記単一トーンに配置されたトーン当たりエネルギーが、前記冒頭記号の中に含まれる任意の別のトーンよりも少なくとも６ｄｂ高い請求項２０に記載の基地局。
【請求項２２】
冒頭記号の本体部分と拡張記号の本体部分とが各々複数のトーンを含み、基地局が、
同期信号に対応する複数のトーンを前記冒頭記号の本体部分と前記拡張部分の本体部分の両方の中に含めるための同期信号発生器モジュールであって、前記同期信号のために使用される前記複数のトーンが、前記冒頭記号と前記拡張部分の両方の中で同一である同期信号発生器モジュールをさらに備える請求項２０に記載の基地局。
【請求項２３】
前記冒頭記号と前記拡張部分の両方の中で複数のゼロトーンにエネルギーを配置しないように、前記送信機を制御するためのゼロトーン割当てモジュールであって、前記多記号信号のために使用される複数のゼロトーンが、前記冒頭記号と前記拡張部分の両方の中で同一であるゼロトーン割当てモジュールをさらに含む請求項２２に記載の基地局。
【請求項２４】
前記冒頭ＯＦＤＭ記号が、前記冒頭ＯＦＤＭ記号の期間の間に、前記基地局によって送信されるダウンリンクトーンの全セットを含む請求項２１に記載の基地局。
【請求項２５】
前記送信機が、１１３トーンと３３９トーンとのうちの１つを含むダウンリンクトーンの前記フルセットを使用する請求項２４に記載の基地局。
【請求項２６】
トーンの前記全セットのうちの各トーンが、多記号信号の間のビーコントーン、同期信号トーンおよびゼロトーンのうちの１つである請求項２５に記載の基地局。
【発明の詳細な説明】
【技術分野】
【０００１】
本発明は無線シグナリングの方法および装置に関し、より詳細には、例えば多記号（multi-symbol）のＯＦＤＭダウンリンクビーコン／タイミング同期信号などの冒頭記号（initial symbol）および拡張部分を含む多記号信号を生成、送信および／または使用するための方法および装置に関する。
【背景技術】
【０００２】
通信システムは、しばしば複数の基地局を含む。無線端末はシステム全体を移動するとき、１つまたは複数の基地局と通信しようとする場合がある。システムの中の基地局の記号送信時間は、記号送信期間のレベルと同期されても、または同期されなくてもよい。たとえ送信時間が同期されても、無線端末と１つの基地局との間の距離と、別の基地局への距離とは同一にならないであろう。その結果、無線端末が１つの基地局と同期されている場合、それは別の基地局と同期されたタイミングではないと想定される。
【０００３】
基地局と通信するために、無線端末は通常、基地局とのタイミング同期を達成しなければならない。適切なタイミング同期が行われないと、無線端末は異なる記号の部分をサンプリングし、それらを単一の記号に対応するものとして誤って解釈する場合がある。
【０００４】
基地局の検出を促進するために、一部のシステムは、記号送信期間にビーコン信号を送信する。比較的高い電力レベルは、より低い電力信号よりもビーコン信号を検出し易くするが、ビーコン信号の改善の必要性は残る。
【０００５】
特に、無線端末の記号タイミングが、受信信号を送信した基地局の記号タイミングと完全に同期されていない可能性がある場合など、タイミング同期の誤りが存在しても、簡単に検出されることが可能なビーコン信号が必要とされている。
【発明の開示】
【発明の概要】
【０００６】
本発明の方法および装置は、ビーコン信号が送信される基地局送信機との完全なタイミング同期を有さない無線端末によって簡単に検出されることが可能な、ビーコン信号を生成し、送信するための改善された方法に関する。
【０００７】
本発明によって、ビーコン信号は多記号信号として構成される。多記号信号の継続期間は、例えばユーザデータを送信するために使用される記号などの通常の記号の記号継続期間の２倍または３倍である。ユーザデータを通信するために使用される送信記号は、ともに単一の記号送信期間の間持続する、循環プレフィックス（cyclic prefix portion）部分と本体部分とを含んでもよく、本発明の多記号信号は、記号拡張部分が直ちに続く循環プレフィックス部分と本体部分とを含む冒頭記号を含む。記号拡張部分は、１つまたは複数の記号送信期間の間継続してもよい。
【０００８】
本発明によって構成されるビーコン信号は、多記号送信期間の間継続するので、無線端末は、ビーコン信号を送信する基地局と僅かに誤って同期されている場合でも、全体の記号送信期間の間、信号をサンプリングすることができる。
【０００９】
一部の例示的な実施形態で、本発明によって基地局を操作する方法は、例えばＯＦＤＭ多記号信号などの多記号信号を生成することと、多記号信号を送信することとを備える。多記号信号を生成するステップは、循環プレフィックス部分と本体部分とを含む冒頭記号を生成することと、多記号信号の中で冒頭記号の直ぐ後に続く記号拡張部分を生成することとを含む。記号拡張部分は、記号拡張部分の開始点から始まる本体部分の第１コピーを含む。例示的な基地局は、多記号信号を生成するための信号発生器モジュールと、生成された多記号信号を複数の連続記号として送信するための信号発生器モジュールに結合された送信機とを含む。信号発生器モジュールは、循環プレフィックス部分と、循環プレフィックス部分の直ぐ後に続く本体部分とを含む冒頭記号を生成するための冒頭記号発生器モジュールを含む。信号発生器モジュールはまた、多記号信号の中で冒頭記号の直ぐ後に続く記号拡張部分を生成するための記号拡張発生器モジュールも含み、記号拡張部分は、記号拡張部分の開始点から始まる本体部分の第１コピーを含む。
【００１０】
本発明の多数のさらなる特徴、利点および実施形態は、以下の詳細な説明の中で考察され、説明される。
【詳細な説明】
【００１１】
図１は、複数のセル、セル１  １０２とセルＭ１０４とを含む、本発明によって実装される例示的な通信システム１００を示す。例示的システム１００は、例えば多元接続（multiple access）ＯＦＤＭシステムなどの例示的なＯＦＤＭ拡散スペクトル無線通信システムである。例示的システム１００の各セル１０２、１０４は３つのセクタを含む。複数のセクタに再分割されていないセル（Ｎ＝１）、２つのセクタを有するセル（Ｎ＝２）、および４つ以上のセクタを有するセル（Ｎ＞３）は、本発明によって同様に可能である。各セクタは１つまたは複数のキャリアおよび／またはダウンリンクトーンブロックを支援する。一部の実施形態で、少なくとも一部のセクタは、３つのダウンリンクトーンブロック（downlink tones blocks）を支援する。セル１０２は、第１セクタであるセクタ１  １１０、第２セクタであるセクタ２  １１２および第３セクタであるセクタ３  １１４を含む。同様に、セルＭ１０４は、第１セクタであるセクタ１  １２２、第２セクタであるセクタ２  １２４および第３セクタであるセクタ３  １２６を含む。セル１  １０２は基地局（ＢＳ）の基地局１  １０６、および各セクタ１１０、１１２、１１４の中の複数のエンドノード（ＥＮ）を含む。セクタ１  １１０は、それぞれ無線リンク１４０、１４２を介してＢＳ１０６に結合されたＥＮ（１）１３６およびＥＮ（Ｘ）１３８を含み、セクタ２  １１２は、それぞれ無線リンク１４８、１５０を介してＢＳ１０６に結合されたＥＮ（１’）１４４およびＥＮ（Ｘ’）１４６を含み、セクタ３  １１４は、それぞれ無線リンク１５６、１５８を介してＢＳ１０６に結合されたＥＮ（１”）１５２およびＥＮ（Ｘ”）を含む。同様に、セルＭ１０４は基地局Ｍ１０８、および各セクタ１２２、１２４、１２６の中に複数のエンドノード（ＥＮ）を含む。セクタ１  １２２は、それぞれ無線リンク１４０’、１４２’を介してＢＳＭ１０８に結合されたＥＮ（１）１３６’およびＥＮ（Ｘ）１３８’を含み、セクタ２  １２４は、それぞれ無線リンク１４８’、１５０’を介してＢＳＭ１０８に結合されたＥＮ（１’）１４４’およびＥＮ（Ｘ’）１４６’を含み、セクタ３  １２６は、それぞれ無線リンク１５６’、１５８’を介してＢＳ１０８に結合されたＥＮ（１”）１５２’およびＥＮ（Ｘ”）１５４’を含む。
【００１２】
システム１００はまた、それぞれネットワークリンク１６２、１６４を介してＢＳ１  １０６およびＢＳＭ１０８に結合されたネットワークノード１６０も含む。またネットワークノード１６０は、その他の基地局、ＡＡＡサーバノード、中間ノード、ルータ等のその他のネットワークノード、およびインターネットにネットワークリンク１６６を介して結合されている。ネットワークリンク１６２、１６４、１６６は、例えば光ファイバケーブルであってもよい。例えばＥＮ１  １３６などの各エンドノードは、受信機とともに送信機を含む無線端末であってもよい。例えばＥＮ（１）１３６などの無線端末はシステム１００を通じて移動してもよく、現在ＥＮが配置されているセルの中で、無線リンクを介して基地局と通信してもよい。例えばＥＮ（１）１３６などの無線端末（ＷＴ）は、ＢＳ１０６などの基地局および／またはネットワークノード１６０を介して、システム１００の中か、またはシステム１００の外部で、別のＷＴなどのピアノードと通信してもよい。例えばＥＮ（１）１３６などのＷＴは、携帯電話、または無線モデムを備えた携帯情報端末等の移動体通信装置であってもよい。
【００１３】
各基地局（１０６、１０８）は、例えば冒頭ＯＦＤＭ記号と拡張ＯＦＤＭ記号とを含む多記号ビーコン／タイミング同期信号を送信して、ダウンリンクのタイミングおよび周波数構造によってユーザデータのＯＦＤＭ記号を送信するなど、本発明によってダウンリンクシグナリングを実行する。異なる基地局のセクタ送信機は、必ずしもタイミング同期されているわけではない。例えば一部の実施形態では、同じ基地局のセクタ送信機はタイミング同期されているが、異なる基地局からのセクタ送信機はタイミング同期されていない。多記号ビーコン／タイミング同期信号が本発明によって生成され、この同期信号は、１つの基地局のセクタ送信機に対して閉ループタイミング同期されることが可能でありながら、例えば隣のセクタおよび／またはセルを表す別の基地局のセクタ送信機からビーコン／タイミング同期信号を受信して処理することができる無線端末による簡単な検出および測定を促進する。本発明によって、基地局ビーコン／タイミング同期信号は、複数の異なる基地局のセクタトランスミッタからのビーコン信号の比較を促進する。
【００１４】
図２は、本発明によって実装され、本発明の方法を使用する例示的な基地局２００の図である。例示的基地局２００は、図１の例示的システム１００の任意の基地局（１０６、１０８）であってよい。例示的基地局２００は、様々な要素がデータおよび情報を交換することができるバス２１６を介してともに結合された複数のセクタ受信機モジュール（セクタ１受信機モジュール２０２，．．，セクタＮ受信機モジュール２０４）、複数のセクタ送信機モジュール（セクタ１送信機モジュール２０６，．．，セクタＮ送信機モジュール２０８）、プロセッサ２１０、Ｉ／Ｏインタフェース２１２およびメモリ２１４を含む。一部の実施形態で、セクタ送信機モジュールの数Ｎは、Ｎ＝２、３または４以上などである。
【００１５】
一部の実施形態で、基地局は単一のセクタに対応し、最大で１つのセクタ送信機モジュールと１つのセクタ受信機モジュールとを含む。一部のそのような実施形態で、基地局は別のセクタ基地局と同じ場所に配置され、複数のそのような基地局の複合体は、単一のセルのために適用範囲を提供する。一部の別のそのような実施形態では、単一のセクタ基地局が１つのセルに対応し、該１つの単一セクタ基地局は全セルエリアのために完全な適用範囲を提供する。
【００１６】
セクタ１受信機モジュール２０２は、基地局２００が、基地局２００のセクタ１物理的接続点を接続点として使用する無線端末からアップリンク信号を受信するセクタ１の受信アンテナ２０３に結合されている。セクタＮ受信機モジュール２０４は、基地局が、基地局２００のセクタＮ物理的接続点を接続点として使用する無線端末からアップリンク信号を受信するセクタＮの受信アンテナ２０５に結合されている。
【００１７】
セクタ１送信機モジュール２０６は、基地局２００が無線端末へダウンリンク信号を送信するセクタ１送信アンテナ２０７に結合されている。セクタＮ送信機モジュール２０８は、基地局２００が無線端末へダウンリンク信号を送信するセクタＮ送信アンテナ２０９に結合されている。例えば一部の実施形態では、セクタ１送信機モジュール２０６は、（ｉ）冒頭部分と拡張記号部分とを含む多記号ＯＦＤＭビーコン／タイミング同期信号と、（ｉｉ）ユーザデータ、制御データおよび／またはパイロット信号を含むダウンリンクユーザデータＯＦＤＭ記号とを含むダウンリンク信号を送信する。
【００１８】
一部の実施形態では、与えられたセクタについて、セクタ送信機モジュールとセクタ受信機モジュールに同じアンテナが使用される。一部の実施形態では、与えられたセクタにつて、基地局セクタは例えば３つなどの複数のダウンリンクトーンブロックおよび／またはダウンリンクキャリアに対応するなど、複数の物理的接続点に対応する接続性を提供する。
【００１９】
セクタ１送信機モジュール２０６は、ともに結合された信号発生器モジュール２１７とＯＦＤＭ送信機２１８とを含む。信号発生器モジュール２１７は、ビーコントーン信号、タイミング同期信号および意図的なゼロトーンを含む多ＯＦＤＭ記号信号と、（ｉｉ）ユーザデータ、制御データおよび／またはパイロット信号を含む単一のＯＦＤＭ記号信号とを生成する。信号発生器モジュール２１７は、冒頭記号生成モジュール２２０、記号拡張生成モジュール２２２、ビーコンモジュール２２４、同期信号発生器モジュール２２６、ゼロトーン割当てモジュール２２８、電力測定モジュール２３０およびユーザデータ記号生成モジュール２３２を含む。冒頭記号生成モジュール２２０は多記号信号の中で冒頭ＯＦＤＭ記号を生成し、冒頭ＯＦＤＭ記号は循環プレフィックス部分と本体部分とを含み、本体部分は循環プレフィックス部分の直ぐ後に続く。冒頭記号生成モジュール２２０は、循環プレフィックス生成モジュール２３３を含む。循環プレフィックス生成モジュール２３３は、コピーおよび本体部分の末端部分によって、循環プレフィックス部分を生成する。記号拡張生成モジュール２２２は、多記号信号の中で冒頭記号の直ぐ後に続く記号拡張ＯＦＤＭ記号などの記号拡張部分を生成する。生成された記号拡張部分は、記号拡張部分の開始点から始まる本体部分の第１コピーを含む。記号拡張生成モジュール２２２は本体部分複製モジュール２３４と切捨てモジュール２３６とを含む。本体部分複製モジュール２３４は、拡張部分の開始点で含まれている多記号信号の冒頭ＯＦＤＭ記号の本体部分をコピーする。切捨てモジュール２３６は、拡張記号の中の本体部分の切り捨てられた部分を含み、この切り捨てられた部分は本体部分の冒頭部分を含む。拡張記号の切り捨てられた部分は、拡張記号の中で本体部分のコピーの直ぐ後に続く。
【００２０】
一部の実施形態で、冒頭記号および拡張部分は各々、ビーコントーンを運ぶために冒頭記号と拡張部分との両方の中で使用される単一のトーンを含み、ビーコンモジュール２２４は、基地局のセクタ１送信機モジュールに対応するダウンリンク周波数／タイミング構造の中の与えられた多記号信号のために、ビーコントーンを識別する。電力測定モジュール２３０は、冒頭記号の中の他のどのトーンよりも多くのエネルギーを識別されたビーコントーン上に配置する。一部の実施形態では、単一のビーコントーン上に配置されるエネルギーは、多記号信号の中の冒頭記号に含まれた任意の別のトーンに配置されるエネルギーよりも、最低で６ｄＢ高い。
【００２１】
様々な実施形態で、冒頭記号の本体部分と拡張記号とは各々、複数のトーンを含む。同期信号発生器モジュール２２６は、冒頭記号の本体部分と拡張部分との両方で同期信号に対応する複数のトーンを含み、複数のトーンは、多記号信号の冒頭記号と拡張部分との両方で同一である同期信号のために使用される。ゼロトーン割当てモジュール２２８は、前記の冒頭記号と拡張部分との両方の中の複数のゼロトーン上にエネルギーを配置しないように、送信機２１８を制御する。複数の意図的ゼロトーンは、多記号信号の冒頭記号と拡張部分との両方の中で同一になるように制御される。意図的ゼロトーンは、例えばダウンリンクトーンブロックに関する低電力の広帯域同期信号などの同期信号とともに、無線端末による測定を促進する。
【００２２】
一部の実施形態で、冒頭ＯＦＤＭ記号は、冒頭ＯＦＤＭ記号の期間に基地送信機モジュール２０６によって送信されたダウンリンクトーンの全セットを含む。例えば、例示的な１．２５ＭＨｚのＯＦＤＭ実施形態のために、ダウンリンクトーンの全セットは１１３トーンのセットであり、冒頭ＯＦＤＭ記号は１つの高電力のビーコントーン、例えば５５トーンなどの複数の低電力のタイミング同期信号トーン、および例えば５７ゼロトーンなどの複数のゼロトーンを含む。別の例として、例示的な５ＭＨｚのＯＦＤＭ実施形態のために、ダウンリンクトーンの全セットは３３９トーンのセットであり、冒頭ＯＦＤＭ記号は１つの高電力のビーコントーン、例えば５５トーンなどの複数の低電力のタイミング同期信号トーン、および例えば２８３ゼロトーンなどの複数のゼロトーンを含み、ビーコントーンとタイミング同期トーンとは、セクタ送信機モジュールのための物理的接続点に対応する１１３の連続したトーンの同一トーンブロック内にある。
【００２３】
ユーザデータ記号生成モジュール２３２は、ユーザデータ、制御データおよび／またはパイロット信号を含むＯＦＤＭユーザデータ記号を生成する。例えば、多記号信号の直ぐ後に続いて、拡張記号が後に続く冒頭記号はビーコンおよびタイミング同期信号を運搬し、ユーザデータ記号生成モジュール２３２は、例えば１１２のユーザデータＯＦＤＭ記号などのユーザデータＯＦＤＭ記号の系列を生成してもよい。例えば多記号信号は、例えば１１４の連続したＯＦＤＭ記号のスーパースロットの中のストリップ記号（strip symbol）などの最初の２つのＯＦＤＭ記号に対応してもよく、１１２のユーザデータＯＦＤＭ記号は、同一スーパースロットの８つのスロットのＯＦＤＭ記号であってもよい。各ユーザデータ記号は、ユーザデータ本体部分とユーザデータ循環プレフィックス部分とを含む。基地局がそのときに送信するために少なくとも何らかのダウンリンクユーザデータを有する場合、ユーザデータ本体部分は少なくとも何らかのユーザデータを含む。例えば、例示的なＯＦＤＭユーザデータ記号は、各々が符号化されたユーザデータ情報ビットを運搬するために使用される変調記号値を運ぶ、４つの異なるトラヒックチャネル区分に対応する変調記号値を含む。与えられたＯＦＤＭユーザデータ記号の異なるチャネル区分は、異なる送信電力レベルと関連付けられてもよい。一部の実施形態では、ＯＦＤＭユーザデータ記号の各々は、例えば電力測定モジュール２３０によって、多記号信号の冒頭記号のトーンの最高のトーン当たり電力レベルよりも少なくとも６ｄＢ低いトーン当たり電力レベルで送信されるように制御される。一部の実施形態で、信号生成モジュール２１７のうちのいくつか、すべて、または一部はルーチン２３８の中に含まれる。送信機２１８は、信号生成モジュール２１７によって生成される信号を送信するＯＦＤＭ送信機である。
【００２４】
Ｉ／Ｏインタフェース２１２は基地局２００を、インターネットおよび／またはルータ、その他の基地局、ＡＡＡノード、中央制御ノード、ホームエージェントノード等のその他のネットワークに結合する。したがってＩ／Ｏインタフェース２１２は、基地局２００の物理的接続点を使用して、無線端末のためにネットワークインタフェースを提供し、異なるセルの中のＷＴの間で通信セッションを促進する。
【００２５】
メモリ２１４は、ルーチン２３８とデータ／情報２４０とを含む。例えばＣＰＵなどのプロセッサ２１０はルーチン２３８を実行し、基地局２００の動作を制御して、本発明の方法を実施するために、メモリ２１４の中のデータ／情報２４０を使用する。ルーチン２３８は、通信ルーチン２４２と基地局制御ルーチン２４４とを含む。通信ルーチン２４２は、基地局２００によって使用される様々な通信プロトコルを実施する。基地局制御ルーチン２４４は、スケジューラモジュール２４６、受信機制御モジュール２４８、送信機制御モジュール２５０およびＩ／Ｏインタフェース制御モジュール２５２を含む。例えばスケジューラなどのスケジューラモジュール２４６は、例えば基地局２００の接続点を使用した、トラヒックチャネル区分を含むアップリンクおよびダウンリンク区分の無線端末への割当てなど、エアリンクリソースをスケジュールする。
【００２６】
受信機制御モジュール２４８は、セクタ受信機モジュール（２０２、２０４）の動作を制御する。送信機制御モジュール２５０は、セクタ送信機モジュール（２０６、２０８）の動作を制御する。Ｉ／Ｏインタフェース制御モジュール２５２は、Ｉ／Ｏインタフェース２１２の動作を制御する。
【００２７】
データ／情報２４０は、生成された多記号信号情報２５４、生成されたユーザデータ記号信号情報２５６、システムデータ／情報２５８および無線端末データ情報２６０を含む。システムデータ／情報２５８は、タイミング／周波数構造情報２６２、電力測定情報２６４、ビーコン情報２６６、同期信号情報２６８、ゼロ情報２７０および多記号信号情報２７２を含む。ＷＴデータ／情報２６０は、複数のＷＴデータ／情報のセット（ＷＴ１データ／情報２７４，．．．，ＷＴＮデータ／情報２７６）を含み、ＷＴデータ／情報の各セットは、基地局２００の接続点を使用するＷＴに対応している。
【００２８】
生成された多記号信号情報２５４は、例えば生成された信号および／または生成された信号の一部を表す情報など、生成された多記号信号に関する情報を含む。例えば、情報２５４は冒頭記号の本体部分、本体部分の末端部分、循環プレフィックス部分、拡張記号の第１部分として使用される本体部分の反復部分、本体部分の冒頭部分、および拡張記号の第２部分として使用される切捨て部分を表す情報を含む。
【００２９】
生成されたユーザデータ記号信号情報２５６は、生成されたユーザ記号に関する情報を含む。例えば、情報２５６は本体部分を表す情報、本体部分の末端部分を表す情報および循環プレフィックス部分を表す情報を含む。
【００３０】
タイミング／周波数構造情報２６２は、ダウンリンクならびにアップリンクのタイミングおよび周波数構造情報を含む。ダウンリンクのタイミングおよび周波数構造情報は、各基地局セクタ送信機モジュールによって使用されるダウンリンクトーンのブロック、使用されるダウンリンクトーンの数、チャネル区分構造、トーンホッピング情報、例えばタイミング構造の中で多記号ＯＦＤＭビーコン／タイミング同期信号がいつ送信されるべきか、およびＯＦＤＭユーザデータ記号がいつ送信されるべきかを識別する、各基地局セクタ送信機モジュールによって使用される反復タイミング構造を識別する情報を含む。電力測定情報２６４は、ビーコン信号、タイミング同期信号、ユーザデータ信号、制御データ信号およびパイロットトーン信号に関連した電力レベルを識別する情報を含む。ビーコン信号情報２６６は、ダウンリンクトーンブロックの中のどのトーンが、反復ダウンリンクタイミング構造の中の所定の場所で、どのセクタ送信機モジュールによってビーコントーンとして使用されるべきかを識別する情報、およびビーコントーンのために、多記号信号の冒頭ＯＦＤＭ記号の本体部分によって運搬されるべき変調信号値を識別する情報を含む。同期信号情報２６８は、ダウンリンクトーンブロックの中のどのトーンが、ダウンリンクタイミング構造の中の所定の場所で、どのセクタ送信機モジュールによって同期信号トーンとして使用されるべきかを識別する情報、および同期信号トーンの各々のために、多記号信号の冒頭ＯＦＤＭ記号の本体部分によって運搬されるべき変調信号値を識別する情報を含む。ゼロ情報２７０は、ダウンリンクトーンブロックの中のどのトーンが、多記号信号のダウンリンクタイミング構造の中の所定の場所で、どのセクタ送信機モジュールによって意図的ゼロトーンとして使用されるべきかを識別する情報を含む。多記号信号情報２７２は、例えば本体部分の期間、循環プレフィックス部分の期間を識別する情報、冒頭記号の本体部分を拡張記号の反復体部分にコピーするために使用される公式、拡張記号の第２部分として使用されるべき本体部分の切捨て部分を生成するために使用される公式を含む情報など、多記号信号を生成する際に使用される情報を含む。
【００３１】
ＷＴデータ情報の各セットは、ユーザデータ、識別情報およびユーザ／装置／セッション／リソース情報を含む。ユーザデータは、例えば、ピアノードとの通信セッションの中で無線端末によって送信および／または受信されるべきボイスデータ、音声データ、画像データ、テキストデータ、ファイルデータ等を含む。ユーザデータは、ＯＦＤＭユーザデータ記号を使用するＷＴに割り当てられたダウンリンクトラヒックチャネル区分を介して、ＷＴに送信されるべきダウンリンクユーザデータを含む。識別情報は、ＷＴ接続に関連した接続点セクタおよび／またはトーンブロック、ＷＴ識別子、アドレス、およびアクティブのユーザ識別子などのユーザ識別子を割り当てられた基地局を識別する情報を含む。ユーザ装置／セッション／リソース情報は、装置制御パラメータに関する情報、ピアノード情報、アドレス情報、セッションの確立および維持情報、ならびに例えばＷＴに割り当てられたアップリンクおよび／またはダウンリンク区分などのエアリンクリソース情報を含む。
【００３２】
図３は、例えば本発明によって実装される移動ノードなどの例示的な無線端末３００を示す。例示的な無線端末３００は、例えば図１の例示的なシステム１００のＥＮ１３６、１３８、１４４、１４６、１５２、１５４、１３６’、１３８’、１４４’、１４６’、１５２’、１５４’など、本発明によって実装される任意の例示的な無線端末であってよい。例示的な無線端末３００は、様々な要素がデータおよび情報を交換することができるバス３１２を介してともに結合された受信機モジュール３０２、送信機モジュール３０４、プロセッサ３０６、ユーザＩ／Ｏ装置３０８およびメモリ３１０を含む。
【００３３】
無線端末３００は、それぞれ受信機モジュール３０２と送信機モジュール３０４に結合された受信機アンテナ３０３と送信機アンテナ３０５とを含む。無線端末受信機モジュール３０２は（ｉ）冒頭ＯＦＤＭ記号と拡張ＯＦＤＭ記号とを含む多記号ＯＦＤＭビーコン信号／タイミング同期信号と、（ｉｉ）ユーザデータ、制御データ、および／またはパイロット信号を含むユーザデータＯＦＤＭ記号とを含むダウンリンク信号を、アンテナ３０３を介して受信する。一部の実施形態で、単一のアンテナは、例えば二重モジュールと組み合わせて、受信機と送信機のために使用される。受信機モジュール３０２は復号器３１８を含み、一方で送信機モジュール３０４は符号器３２０を含む。例えばマイクロフォン、キーパッド、キーボード、カメラ、マウス、スイッチ、スピーカ、ディスプレイ等のユーザＩ／Ｏ装置３０８は、ＷＴ３００のユーザがユーザデータを入力し、ユーザデータを出力し、アプリケーションを制御し、例えば通信セッションの開始などの無線端末の少なくとも一部の動作を制御することを可能にする。
【００３４】
メモリ３１０は、ルーチン３１４とデータ／情報３１６とを含む。例えばＣＰＵなどのプロセッサ３０６は、メモリ３１０に記憶された１つまたは複数のルーチン３１４の制御下で、無線端末３００が本発明の方法によって動作するように、データ／情報３１６を使用する。無線端末の動作を制御するために、ルーチン３１４は通信ルーチン３２２と無線端末制御ルーチン３２４とを含む。通信ルーチン３２２は、無線端末３００によって使用される様々な通信プロトコルを実施する。無線端末制御ルーチン３２４は、無線端末３００が本発明の方法によって動作することを保証することに対して責任を負う。無線端末制御ルーチン３２４は、多記号信号モジュール３２６、チャネル推定モジュール３２８、ハンドオフ制御モジュール３３０およびユーザデータ記号モジュール３３２を含む。多記号信号モジュール３２６は、ビーコン信号検出モジュール３３４、ビーコン信号の測定および評価モジュール３３６、同期信号評価モジュール３３８を含む。ビーコン信号検出モジュール３３４は、複数のセルおよび／またはセクタ基地局送信機からのビーコン信号を検出し、識別するために使用される。ビーコン信号の測定および評価モジュール３３６は、受信されたビーコン信号のエネルギーレベルおよび／または強度を測定し、その他の受信されたビーコン信号に対してビーコン信号を評価する。同期信号評価モジュール３３８は、例えば多記号信号の一部としてビーコン信号と並行して通信される広帯域同期信号などの受信された同期信号を処理し、例えば移動ノードの接続点として異なる基地局との通信を確立する際に使用された信号から、同期タイミングを判定する。同期信号評価モジュール３３８は、タイミング調整制御信号を作り出すために、受信された同期信号を処理する。チャネル推定モジュール３２８は、受信された同期信号、および受信された多記号信号の中に含まれたゼロトーンに基づいて、チャネル推定を実行する。ハンドオフ制御モジュール３３０は、例えばあるトーンブロックに関連した１つの基地局セクタから、あるトーンブロックに関連した別の基地局セクタへ接続点を変更するために使用され、同期信号評価モジュール３３８によって供給される情報を使用して、ハンドオフプロセスの中の適切な時間で、送信機３０４のタイミングの調整を制御する。さらに、ハンドオフ制御モジュール３３０は、チャネル推定を生成するために使用された同期信号が送信されたポイントへの接続の際に使用されるべき別のチャネル推定３５６を初期化するために、同期信号およびゼロトーン３５４に基づいてチャネル推定を使用する。
【００３５】
ユーザデータ記号モジュール３３２は、例えば受信されたパイロット信号情報の抽出など、受信されたユーザデータＯＦＤＭ記号を処理する。回収された受信ＯＦＤＭユーザデータ記号の一部は、無線端末３００に向けられたユーザデータおよび／または無線端末３００に関連した制御データを含み、ＷＴ３００はそのような通信されたデータを回収する。例えば、回収されたＯＦＤＭユーザデータ記号は、ＷＴ３００に割り当てられたダウンリンクトラヒックチャネル区分の一部を含んでもよく、ＷＴは、ダウンリンクトラヒックチャネル区分の一部の変調記号に関連したビットを回収する。
【００３６】
データ情報３１６は、例えばユーザ情報、装置情報、ＷＴ３００の状態情報、ピアノード情報、アドレッシング情報、ルーティング情報、セッションパラメータ、ＷＴ３００に割り当てられたアップリンクおよびダウンリンクのチャネル区分を識別する情報などのエアリンクリソース情報など、ユーザ／装置／セッション／リソース情報３４０を含む。ユーザ／装置／セッション／リソース情報３００は、本発明の方法および／または本発明を実装するために使用されるデータ構造を実施するためにアクセスされ、使用されてもよい。データ／情報３１６はまた、複数のシステム基地局情報のセット（ＢＳ１セクタ１データ／情報３３６，．．．，ＢＳ１セクタＮデータ／情報３５８、ＢＳＭセクタ１データ／情報３６０，．．．，ＢＳＭセクタＮデータ／情報３６２）を含む、システムデータ／情報３４２も含む。ＢＳ１セクタ１データ／情報３３６は、ビーコン情報３６６、同期信号情報３６８、タイミング情報３７０および周波数情報３７２を含む。データ／情報３１６はまた、例えばＢＳに割り当てられた識別子などの端末ＩＤ３４４、例えば現在の接続点に関連し、また別の基地局にも関連するタイミング情報３４６、例えば現在の接続点のＩＤ、および受信されたビーコン信号に関連した各ＢＳセクタのＩＤなどの基地局識別情報３４８も含む。データ／情報３１６はまた、ＷＴ３００との通信セッションの中でＷＴ４０００のピアノードから受信され、そこへ送信されるべき、例えばボイスデータ、画像データ、音声データ、テキストデータ、ファイルデータ等のユーザデータなどのデータ３５０も含む。ユーザデータは、ＷＴ３００に割り当てられたダウンリンクトラヒックチャネル区分の一部に対応する受信されたＯＦＤＭユーザデータ記号から回収されたユーザデータを含む。
【００３７】
データ／情報３１６はまた、タイミング調整制御信号情報３５２、同期信号／ゼロトーンに基づくチャネル推定３５４、および新たな接続点のためのチャネル推定３５６も含む。タイミング調整制御信号情報３５２は、同期信号評価モジュール３３８の出力であり、ハンドオフ制御モジュール３３０によって入力として使用される。同期信号／ゼロトーンに基づくチャネル推定３５４は、チャネル推定モジュール３２８の出力であり、別のチャネル推定である、新たな接続点のためのチャネル推定３５６の初期化のためにチャネル推定３５４を使用する、ハンドオフ制御モジュール３３０への入力として使用される。
【００３８】
図４は、本発明の例示的な実施形態による例示的なシグナリングを示す図面４００である。図４は、例えば基地局によって生成されるビーコンタイミング同期信号などの例示的な多記号信号４０６を示す。多記号信号４０６は、第１ＯＦＤＭ記号期間４０２および第２ＯＦＤＭ記号期間４０４の間に、例えば基地局セクタ送信機などの基地局送信機によって送信される。例示的な多記号信号４０６は、冒頭ＯＦＤＭ記号４０８と記号拡張部分４１０とを含む。この例の中で、記号拡張部分４１０は拡張ＯＦＤＭ記号である。冒頭記号４０８は循環プレフィックス部分４１２と本体部分４１４とを含み、本体部分４１４は循環プレフィックス部分４１２の直ぐ後に続く。本体部分４１４は、矢印４２６によって示されているように、循環プレフィックス部分４１２を生成するためにコピーされる末端部分４２４を含む。記号拡張部分４１０は、本体部分の第１コピー４１６と、本体部分の切捨て部分４１８とを含む。矢印４２０は、本体部分の第１コピー４１６が本体部分４１４のコピーであることを示している。本体部分４１４はまた、矢印４２８によって示されているように、切捨て部分４１８を生成するためにコピーされる冒頭部分４２２を含む。
【００３９】
図５は、本発明の別の例示的な実施形態による例示的なシグナリングを示す図面５００である。図５は、例えば基地局によって生成されるビーコンタイミング同期信号などの例示的な多記号信号５０６を示す。多記号信号５０６は、第１ＯＦＤＭ記号期間５０２および第２ＯＦＤＭ記号期間５０４の間に、例えば基地局セクタ送信機などの基地局送信機によって送信される。例示的な多記号信号５０６は、冒頭ＯＦＤＭ記号５０８と記号拡張部分５１０とを含む。冒頭記号５０８は循環プレフィックス部分５１２と本体部分５１４とを含み、本体部分５１４は循環プレフィックス５１２の直ぐ後に続く。本体部分５１４は、矢印５２４によって示されているように、循環プレフィックス部分５１２を生成するためにコピーされる末端部分５２２を含む。記号拡張部分５１０は、本体部分の第１コピー５１６を含む。さらなるシグナリング部分５１８は記号拡張部分５１０の直ぐ後に続き、記号拡張部分５１０によって使用されていない第２ＯＦＤＭ記号期間５０４の残りを占める。一部の実施形態で、さらなるシグナリング部分５１８はゼロ信号を表す。矢印５２０は、本体部分の第１コピー５１６が本体部分５１４のコピーであることを示している。
【００４０】
図６は、本発明の別の例示的な実施形態による例示的なシグナリングを示す図面６００である。図６は、例えば基地局によって生成されるビーコンタイミング同期信号などの例示的な多記号信号６０８を示す。多記号信号６０８は、第１ＯＦＤＭ記号期間６０２、第２ＯＦＤＭ記号期間６０４および第３ＯＦＤＭ記号期間６０６の間に、例えば基地局セクタ送信機などの基地局送信機によって送信される。例示的な多記号信号６０８は、冒頭ＯＦＤＭ記号６１０と記号拡張部分６１２とを含む。この例の中では、記号拡張部分６１２は第１拡張ＯＦＤＭ記号６１４と第２拡張ＯＦＤＭ記号６１６とを含む。冒頭記号６１０は循環プレフィックス部分６１８と本体部分６２０とを含み、本体部分６２０は循環プレフィックス部分６１８の直ぐ後に続く。本体部分６２０は、矢印６３６によって示されているように、循環プレフィックス部分６１８を生成するためにコピーされる末端部分６３４を含む。記号拡張部分６１２は本体部分の第１コピー６２２、本体部分の第２コピー６２４および本体部分の切捨て部分６３０を含む。部分６２２の直ぐ後には、部分６３０が直ぐ後に続く部分６２４が続く。矢印６２６は、本体部分の第１コピー６２２が本体部分６２０のコピーであることを示し、矢印６２８は、本体部分の第２コピー６２４が本体部分６２０のコピーであることを示している。本体部分６２０はまた、矢印６３８によって示されているように、切捨て部分６３０を生成するためにコピーされる冒頭部分６３２も含む。
【００４１】
図７は、本発明の別の例示的な実施形態による例示的なシグナリングを示す図面７００である。図７は、例えば基地局によって生成されるビーコンタイミング同期信号などの例示的な多記号信号７０８を示す。多記号信号７０８は、第１ＯＦＤＭ記号期間７０２、第２ＯＦＤＭ記号期間７０４および第３ＯＦＤＭ記号期間７０６の間に、例えば基地局セクタ送信機などの基地局送信機によって送信される。例示的な多記号信号７０８は、冒頭ＯＦＤＭ記号７１０と記号拡張部分７１２とを含む。冒頭記号７１０は、循環プレフィックス部分７１４と本体部分７１６とを含み、本体部分７１６は循環プレフィックス部分７１４の直ぐ後に続く。本体部分７１６は、矢印７３２によって示されているように、循環プレフィックス部分７１４を生成するためにコピーされる末端部分７２８を含む。記号拡張部分７１２は、本体部分の第１コピー７１８と本体部分の切捨て部分７２０とを含む。さらなるシグナリング部分７２２は、記号拡張部分７１２の直ぐ後に続き、記号拡張部分７１２によって使用されていない第３ＯＦＤＭ記号期間７０６の残りを占める。一部の実施形態では、さらなるシグナリング部分７２２はゼロ信号を表す。部分７１８の直ぐ後には、部分７２２が直ぐ後に続く部分７２０が続く。矢印７２４は、本体部分の第１コピー７１８が本体部分７１６のコピーであることを示している。本体部分７１６はまた、矢印７３４によって示されているように、切捨て部分７２０を生成するためにコピーされる冒頭部分７２６も含む。
【００４２】
図８は、本発明による例示的なシグナリングを示す図面８００である。図８は、基地局によって生成される例示的な多記号ビーコン／タイミング同期信号８０６を示す。多記号ビーコン／タイミング同期信号８１０は、第１ＯＦＤＭ記号期間８０２および第２ＯＦＤＭ記号期間８０４の間に、例えば基地局セクタ送信機などの基地局送信機によって送信される。例示的な多記号ビーコン／タイミング同期信号８１０は、図４の例示的な多記号信号４０６であってもよい。多記号ビーコン／タイミング同期信号８１０の直ぐ後には、第３ＯＦＤＭ記号期間８０６の間に送信される第１ＯＦＤＭユーザデータ信号８１２が続く。第２ＯＦＤＭユーザデータ信号８１４は、次に続くＯＦＤＭ記号期間である第４ＯＦＤＭ記号期間８０８の間に送信される。この例の中では、第１ＯＦＤＭユーザデータ信号８１２は、ユーザデータを運搬する複数のトーンと制御データを運搬する複数のトーンとを含む第１ＯＦＤＭユーザデータ記号であり、第２ＯＦＤＭユーザデータ信号８１４は、ユーザデータを運搬する複数のトーンと制御データを運搬する複数のトーンとを含む第２ＯＦＤＭユーザデータ記号である。
【００４３】
例示的な多記号ビーコン／タイミング同期信号８１０は、冒頭ＯＦＤＭ記号８１６と記号拡張部分８１８とを含む。この例の中で、記号拡張部分８１８は拡張ＯＦＤＭ記号である。冒頭記号８１６は循環プレフィックス部分８２４と本体部分８２６とを含み、本体部分８２６は循環プレフィックス部分８２４の直ぐ後に続く。本体部分８２６は、矢印８４４によって示されているように、循環プレフィックス部分８２４を生成するためにコピーされる末端部分８４２を含む。本体拡張部分８１８は、本体部分の第１コピー８２８と本体部分の切捨て部分８３０とを含む。矢印８２７は、本体部分の第１コピー８２８が本体部分８２６のコピーであることを示している。本体部分８２６はまた、矢印８４６によって示されているように、切捨て部分８３０を生成するためにコピーされる冒頭部分８４０を含む。
【００４４】
第１ＯＦＤＭユーザデータ記号８１２は、第１ユーザデータ記号循環プレフィックス部分８３２と第１ユーザデータ記号本体部分８３４とを含み、本体部分８３４は循環プレフィックス部分８３４の直ぐ後に続く。第１ユーザデータ記号本体部分８３４は、矢印８５０によって示されているように、第１ユーザデータ循環プレフィックス部分８３２を生成するためにコピーされる第１ユーザデータ記号末端部分８４８を含む。
【００４５】
第２ＯＦＤＭユーザデータ記号８１４は、第２ユーザデータ記号循環プレフィックス部分３８６と第２ユーザデータ記号本体部分８３８とを含み、本体部分８３８は循環プレフィックス部分８３６の直ぐ後に続く。第２ユーザデータ記号本体部分８３８は、矢印８５４によって示されているように、第２ユーザデータ循環プレフィックス部分８３６を生成するためにコピーされる第２ユーザデータ記号末端部分８５２を含む。
【００４６】
図９は、本発明の一部の実施形態による、例示的なビーコン／タイミング同期同報通信複合多記号シグナリングおよびユーザデータを含む、その後に続くシグナリングを示す図面９００である。図面９００は、冒頭ＯＦＤＭ記号９２０と拡張ＯＦＤＭ記号９２２とを含む、例示的な２つの記号幅のビーコン／タイミング同期信号を示す。２つの記号幅のビーコン／タイミング同期記号の後には、１１２の連続したＯＦＤＭユーザデータ記号（第１ＯＦＤＭユーザデータ記号９２４，．．．，第１１２ＯＦＤＭユーザデータ記号９２６）が続く。
【００４７】
水平軸９０４は、ビーコン信号を含むスーパースロット内にＯＦＤＭ送信時間間隔をプロットし、スーパースロットは、１１４の連続したＯＦＤＭ記号送信期間の継続期間を有する。ビーコン／タイミング同期信号は、スーパースロットの中の最初の２つのＯＦＤＭ記号期間を占め、一方でＯＦＤＭユーザデータ記号は、次の１１２のＯＦＤＭ記号期間を占める。各々の小さな長方形は、ＯＦＤＭトーン記号のエアリンクリソースを表す。記号説明９０６は、（ｉ）ＰＢトーンの送信電力レベルを有するビーコントーン９０８が全体をシェーディングした長方形によって示され、（ｉｉ）トーン当たりＰＴＳの送信電力レベルを有するタイミング同期トーン９１０が斜線のシェーディングによって示され、（ｉｉｉ）トーン当たり０の送信電力レベルを有するゼロトーン９１２がシェーディング無しによって示され、（ｉｖ）ユーザデータトーン９１４が網状シェーディングによって示され、（ｖ）制御データトーン９１６が垂直線のシェーディングによって示され、（ｖｉ）パイロットトーン９１８が水平線のシェーディングによって示されるということを示す。トーン当たりのビーコントーン電力レベルであるＰＢは、トーン当たりのタイミング／同期信号電力であるＰＴＳよりも大きい。一部の実施形態では、ＰＢはＰＴＳよりも少なくとも６ｄＢ大きい。
【００４８】
この例の中では、最初の２つのＯＦＤＭ記号送信期間のために、同じトーン、トーン４上に１つのビーコントーンが存在し、またタイミング／同期信号に対応する最初の２つのＯＦＤＭ記号送信期間のために使用される５５のトーンも存在し、５５のトーンは２つの記号期間について同じトーンである。また、最初の２つの記号期間のために、５７の意図的ゼロトーンも存在する。タイミング同期信号の５５のトーンは、例えば広帯域信号を作成するために、ダウンリンクトーンのセットの間で分散されるということに留意されたい。
【００４９】
次の１１２のその後に続くＯＦＤＭ記号期間の各々の間に、ユーザデータ記号が送信される。ユーザデータ記号は、ユーザデータトーン、制御データトーンおよび／またはパイロットトーンの混合物を含む。例えば、ユーザデータトーンはダウンリンクトラヒックチャネル区分の一部に対応し、一方で制御データトーンは制御チャネル区分の一部に対応し、パイロットトーンはパイロットチャネルに対応する。例えば第１ＯＦＤＭユーザデータ記号９２４などの任意の与えられたＯＦＤＭユーザデータ記号のために、複数の通信されるダウンリンクトラヒック区分が存在してもよい。例えば、ＯＦＤＭユーザデータ記号などのために、ユーザデータトーンのセットは、各々が異なる無線端末に向けられた４つのダウンリンクトラヒックチャネル区分の間で分散されてもよく、トーンは異なる送信電力レベルで運搬される異なるダウンリンクトラヒックチャネル区分に対応している。同様に、制御データトーンは異なる制御チャネルに対応してもよく、異なる送信電力で送信されてもよい。パイロットトーン、例えばＯＦＤＭユーザデータ記号当たり４つのパイロットトーンは、単一の電力レベルで送信されてもよい。ユーザデータトーン９１４、制御データトーン９１６およびパイロットトーン９１８の各々のためのトーン当たり送信電力レベルは、ビーコントーン９０８によって使用されるトーン当たり電力レベルよりも、例えば少なくとも６ｄＢ少ない電力レベルである。
【００５０】
図９の最初の４つのＯＦＤＭ記号は、図８に関して説明されたシグナリングを表すものであってもよい。
【００５１】
図１０は、例示的なＯＦＤＭ送信時間間隔の分割および変調記号値を運搬するために使用される例示的なシグナリングを示すために使用される図面１０００である。この例は、１１３の連続トーンのダウンリンクトーンブロックを備えた、例示的な１．２５Ｍｚの実施形態のためのＯＦＤＭ記号送信時間間隔に対応する。例えば継続期間の中のおよそ１００マイクロ秒などのＯＦＤＭ記号送信時間間隔は、ＩＦＦＴ本体部分１０１０を運搬するために使用される１２８サンプル間隔の第２間隔１００８が後に続く、循環プレフィックス部分１００６を運搬するために使用される１６サンプル間隔の第１間隔１００４を含む。
【００５２】
図１０は、例示的な１１３トーン、１．２５ＭＨｚの実施形態の中で、例えばユーザデータＯＦＤＭ記号などの典型的なダウンリンクＯＦＤＭ記号送信信号のために続くパターンを表す。本発明の特徴によって、２つの連続したＯＦＤＭ記号送信時間間隔の間に生じる複合ビーコンおよびタイミング同期信号は、異なるパターンに従う。
【００５３】
図１１の図面１１００は、ビーコン／タイミング同期信号に対応する第１ＯＦＤＭ記号送信期間１１０２が、ＩＦＦＴ本体部分１１１０を運搬する第２間隔１１０８が後に続く循環プレフィックス部分１１０６を運搬する第１間隔１１０４によって、図１０で示されている慣例の記号と同一パターンに従うことを示す。しかしながら、ビーコン／タイミング同期信号に対応する第２記号信号送信期間１１１２は、異なるパターンに従う。第２ＯＦＤＭ記号信号送信期間１１１２は、ＩＦＦＴ本体部分１１１０の反復であるＩＦＦＴ本体部分１１１６を運搬する１２８サンプル間隔の第３間隔１１１４を含み、第３間隔１１１４の後には、部分１１１０または１１１６の最初の１６サンプルの反復である切捨て反復部分１１２０を運搬する１６サンプル間隔の第４間隔１１１８が続く。したがって、第２記号は、ビーコン／タイミング同期シグナリングのための第１ＯＦＤＭ記号に関する拡張記号である。そのようなシグナリングパターンを使用することによって、ビーコン／タイミング同期信号は、例えば循環プレフィックス継続期間内では正確に同期されなくてもよいが、ＯＦＤＭ送信時間間隔内では同期される無線端末によって、より簡単に検出されることが可能である。本発明によるこの方法は、典型的に２つの記号間の境界上に不連続が存在する、１つだけのＯＦＤＭ期間にわたってビーコン／タイミング同期信号を送信すること、または第１記号と第２記号との両方のために、同一の単一の記号にわたってビーコン／タイミング同期信号を反復することとは対照的である。
【００５４】
図１２は、図１１の時間間隔と対応して考察されるべき、本発明による例示的なビーコン信号／タイミング同期信号構成をさらに示す。項目１２０２は、ＩＦＦＴ本体部分Ｂが生成されることを示す。項目１２０４は、ＩＦＦＴ本体部分Ｂが第１部分Ｂ０、第２部分Ｂ１および第３部分Ｂ２に再分割されることが可能であることを示す。項目１２０６は、第３部分Ｂ２が循環プレフィックスとして使用されるためにコピーされることを示す。項目１２０８は、示されているように、第１ＯＦＤＭ記号が、循環プレフィックスＢ２とＩＦＦＴ本体部分Ｂとを結び付けることによって構成されることを示す。ここで説明は、例示的なビーコン／タイミング同期信号の第２ＯＦＤＭ記号の構成まで進む。項目１２１０は、ＩＦＦＴ本体部分Ｂが反復されることを示す。項目１２１２は、反復ＩＦＦＴ本体部分が部分Ｂ０、Ｂ１およびＢ２に分割されることが可能であることを示す。項目１２１４は、部分Ｂ０がＩＦＦＴ本体ポートＢを反復して第２ＯＦＤＭ記号を構成するために、反復して添付されることを示す。
【００５５】
図１１は、例示的な１１３トーン、１．２５ＭＨｚの実施形態の中で、例えばビーコン／タイミング同期信号などの例示的な多記号送信信号で使用される信号生成パターンを示す。図１４の図面１４００は、ビーコン／タイミング同期信号に対応する第１ＯＦＤＭ送信時間間隔１４０２が、ＩＦＦＴ本体部分１４０８が後に続く循環プレフィックス部分１４０６を用いて、図１０に示されているような従来の記号と同一パターンに従うことを示している。しかしながら、ビーコン／タイミング同期信号に対応する第２ＯＦＤＭ記号送信時間間隔１４０４は、異なるパターンに従う。第２ＯＦＤＭ記号時間間隔１４０４は、ＩＦＦＴ本体部分１４０８の反復であるＩＦＦＴ本体部分１４１０を含み、部分１４１０の後には、本体部分１４１０の冒頭部分の反復である部分１４１２が続く。したがって、第２ＯＦＤＭ記号は、ビーコン／タイミング同期シグナリングのための第１ＯＦＤＭに関する拡張記号である。そのようなシグナリングパターンを使用することによって、ビーコン／タイミング同期信号は、例えば循環プレフィックス期間内で正確に同期されなくてもよい無線端末によって、より簡単に検出されることが可能である。
【００５６】
図１３は、典型的なＯＦＤＭシグナリングを使用する連続ＯＦＤＭユーザデータ記号の概念を示す図面１３００である。第１ＯＦＤＭ記号送信期間１３０２で、循環プレフィックス１３０６は、信号１３０８のＯＦＤＭ本体部分を後に続けて送信される。第２ＯＦＤＭ記号送信期間１３０４で、循環プレフィックス１３１０は、ＯＦＤＭ本体部分１３１２を後に続けて送信される。第１ＯＦＤＭ送信時間間隔１３０２と第２ＯＦＤＭ送信時間間隔１３０４との間の境界には信号の不連続が存在することに留意されたい。信号を受信する無線端末と信号を送信する基地局との間のタイミング同期は、無線端末が信号情報をうまく回収することができるように、循環プレフィックス間隔の継続期間内でなければならない。拡張記号を含むビーコン／タイミング同期信号を伴う図１４では、第１ＯＦＤＭ記号期間１４０２と第２ＯＦＤＭ記号期間１４０４との間の境界には連続性が存在しており、基地局と無線端末との間の正確なタイミング同期を伴わずに、ビーコン／タイミング同期信号の検出および正しいエネルギー測定を促進するということに留意されたい。
【００５７】
図１４は、本発明によるビーコン／タイミング同期シグナリングの概念を示す図面１４００である。第１ＯＦＤＭ記号送信期間１４０２で、循環プレフィックス１４０６は、その対応する信号のＯＦＤＭ本体部分１４０８を後に続けて送信される。第２ＯＦＤＭ記号送信時間間隔１４０４で、ＯＦＤＭ拡張信号が送信され、それが第１ＯＦＤＭ記号信号を拡張し、本体部分を連続的に反復して、時間間隔１４０４を占める。第１ＯＦＤＭ送信期間１４０２と第２ＯＦＤＭ送信時間間隔１４０４との間の境界に信号の不連続が存在しないことに留意されたい。信号を受信する無線端末と信号を送信する基地局との間のタイミング同期は、無線端末が信号情報をうまく回収することができるように、循環プレフィックス間隔の継続期間内にある必要はもはやなく、一部の実施形態では、無線端末と基地局との間のタイミング同期は、１つのＯＦＤＭ記号送信期間の継続期間＋循環プレフィックス継続期間の中にあることが可能であり、さらに信号情報が回収されることが可能である。さらに、一部が無線端末に関して同期されていない基地局セクタ送信機からのビーコン信号を監視する無線端末が、ＯＦＤＭ記号期間の長さのＦＦＴ捕獲ウィンドウを有する場合、無線端末は、連続した捕獲ウィンドウの中から観察可能なエネルギーピークを検出し、そのウィンドウのために測定されたエネルギーおよび回収された信号が、ビーコン比較およびタイミング同期の目的で使用されることが可能であることを認識することができる。
【００５８】
図１５は、例示的なＯＦＤＭ送信時間間隔の分割、および変調記号値を運搬するために使用される例示的なシグナリングを示すために使用される図面１５００である。この例は、各々がＯＦＤＭ記号を送信するために基地局セクタによって使用される３３９の連続トーンの結合されたセットを備える１１３の連続トーンの３つのダウンリンクトーンブロックを使用する、例示的な５．０ＭＨｚの実施形態のＯＦＤＭ送信期間に対応する。例えば継続期間内のおよそ１００マイクロ秒などのＯＦＤＭ記号送信時間間隔は、ＩＦＦＴ本体部分１５１０を運搬するために使用される５１２のサンプル区間の第２間隔１５０８が後に続く循環プレフィックス部分１５０６を運搬するために使用される、６４のサンプル間隔の第１間隔１５０４を含む。
【００５９】
図１５は、例示的な３３９トーン、５ＭＨｚの実施形態の中で、例えばユーザデータＯＦＤＭ記号などの典型的なダウンリンクＯＦＤＭ記号送信信号のために従われるパターンを示す。本発明の特徴によって、２つの連続したＯＦＤＭ記号送信期間の間に生じる複合ビーコンおよびタイミング同期信号は、異なるパターンに従う。図１６の図面１６００は、ビーコン／タイミング同期信号に対応する第１ＯＦＤＭ記号送信期間１６０２が、ＩＦＦＴ本体部分１６１０を運搬する第２間隔１６０８が後に続く循環プレフィックス部分１６０６を運搬する第１間隔１６０４を用いて、図１５で示されている従来の記号と同一パターンに従うことを示す。しかしながら、ビーコン／タイミング同期信号に対応する第２ＯＦＤＭ記号送信期間１６１２は、異なるパターンに従う。第２ＯＦＤＭ記号期間１６１２は、ＩＦＦＴ本体部分１６１０の反復であるＩＦＦＴ本体部分１６１６を運搬する５１２のサンプル間隔の第３間隔１６１４を含み、第３間隔１６１４の後には、部分１６１０または１６１６の最初の６４のサンプルの反復である切捨て部分１６２０を運搬する６４のサンプル間隔の第４間隔１６１８が続く。したがって、第２ＯＦＤＭ記号はビーコン／タイミング同期シグナリングのための第１ＯＦＤＭ記号に関する拡張記号である。そのようなシグナリングパターンを使用することによって、ビーコン／タイミング同期信号は、例えば循環プレフィックス継続期間内で正確に同期されなくてもよい無線端末によって、より簡単に検出されることが可能である。本発明によるこの方法は、２つの記号間の境界上に不連続が存在する、第１記号と第２記号の両方の中で同一信号を反復することとは対照的である。
【００６０】
図１７は、図１６のタイミング間隔と対応して考察されるべき、本発明による例示的なビーコン信号／タイミング同期信号構成をさらに示す。項目１７０２は、ＩＦＦＴ本体部分Ｂが生成されることを示す。項目１７０４は、ＩＦＦＴ本体部分Ｂが第１部分Ｂ０、第２部分Ｂ１および第３部分Ｂ２に再分割されることが可能であることを示す。項目１７０６は、第３部分Ｂ２が循環プレフィックスとして使用されるためにコピーされることを示す。項目１７０８は、示されているように、第１ＯＦＤＭ記号が、循環プレフィックスＢ２とＩＦＦＴ本体部分Ｂとを結び付けることによって構成されることを示す。ここで説明は、例示的なビーコン／タイミング同期信号の第２ＯＦＤＭ記号の構成まで進む。項目１７１０は、ＩＦＦＴ本体部分Ｂが反復されることを示す。項目１７１２は、反復ＩＦＦＴ本体部分が部分Ｂ０、Ｂ１およびＢ２に分割されることが可能であることを示す。項目１７１４は、部分Ｂ０がＩＦＦＴ本体ポートＢを反復して第２ＯＦＤＭ記号を構成するために、反復して添付されることを示す。
【００６１】
図１８Ａ、図１８Ｂ、図１８Ｃおよび図１８Ｄの組み合わせを備える図１８は、本発明による、例示的な基地局の操作方法の流れ図１８００である。例えば、例示的な基地局は図２の基地局２００であってよく、流れ図１８００は、基地局のセクタ送信機のうちの１つを操作する方法を説明してもよい。
【００６２】
例示的な方法は、基地局が電源を入れられ、起動されるステップ１８０１で開始する。操作は、開始ステップ１８０１からステップ１８０２および１８０４へ進む。ステップ１８０２で、基地局は進行中の基準で、記号タイミングインデックスを維持し、更新するために操作される。ステップ１８０２はクロック信号１８４９を入力として使用して実行され、ダウンリンクタイミング構造１８０３の中で、現在のＯＦＤＭ記号期間インデックスを出力する。
【００６３】
ステップ１８０４で、基地局は現在の記号時間インデックス１８０３を、ダウンリンクタイミング構造情報１８０５と比較する。ダウンリンクタイミング構造情報１８０５は、基地局送信機によって使用されている、繰り返されるインデックス付けされたダウンリンクタイミング構造を識別する。例えば、一部の例示的な実施形態では、ダウンリンクタイミング構造は、連続したＯＦＤＭ記号送信期間の例えば１１４などの第１固定番号を各々が含むスーパースロットを含む。一部のそのような実施形態では、各スーパースロットは、１１２のユーザデータＯＦＤＭ記号期間が後に続く２つのストリップＯＦＤＭ記号期間を含む。一部のそのような実施形態では、ダウンリンクタイミング構造の中の与えられたスーパースロットの２つのストリップ記号ＯＦＤＭ記号期間は、（ｉ）冒頭ＯＦＤＭ記号および拡張ＯＦＤＭ記号を含む多記号ビーコン／タイミング同期信号と、（ｉｉ）２つの非ビーコンＯＦＤＭストリップ記号のうちの１つのために使用される。動作は、ステップ１８０４からステップ１８０６へ進む。
【００６４】
ステップ１８０６で、基地局は、現在の記号時間インデックスが、ダウンリンクタイミング構造情報１８０５から識別された多記号ビーコン／タイミング同期信号のインデックスと等しいかどうかを確認する。現在の記号時間インデックスが多記号ビーコン／タイミング同期信号に対応していれば、操作は接続ノードＡ１８０７を介してステップ１８０８へ進み、対応していない場合、操作はステップ１８１０へ進む。
【００６５】
ステップ１８０８で、基地局は多記号ビーコン／タイミング同期信号を生成するために操作される。ステップ１８０８は、サブステップ１８１０、１８１２および１８１６を含む。サブステップ１８１０で、基地局は、ビーコントーンである単一のトーン、同期信号トーンとして使用される複数のトーン、および意図的ゼロトーンである複数のトーンを判定するために、ダウンリンクタイミング／周波数構造情報１８０９を使用する。操作は、サブステップ１８１０からサブステップ１８１２へ進む。サブステップ１８１２で、基地局は、循環プレフィックス部分と本体部分とを含む冒頭ＯＦＤＭ記号を生成し、前記本体部分は前記循環プレフィックス部分の直ぐ後に続く。サブステップ１８１２で、基地局は、冒頭ＯＦＤＭ記号の本体部分を生成するために、ビーコントーン電力情報１８１１、同期トーン電力情報１８１３、ビーコントーン変調記号値情報１８１５、および同期トーンの各々に対応する変調記号値１８１７を使用する。サブステップ１８１２は、サブステップ１８１４を含む。サブステップ１８１４で、基地局は循環プレフィックスとして使用されるべき本体部分の末端部分をコピーする。操作は、サブステップ１８１２からサブステップ１８１６へ進む。
【００６６】
サブステップ１８１６で、基地局は、多記号信号の中で冒頭記号の直ぐ後に続く拡張記号を生成する。拡張記号は、拡張信号の開始点から始まる本体部分の第１コピーを含む。本体部分の第１コピーの後には、本体部分の切捨て部分が続く。本体部分の切捨て部分は、本体部分の冒頭部分のコピーを含む。操作は、ステップ１８０８からステップ１８２０へ進む。
【００６７】
ステップ１８２０で、基地局は、生成された多記号信号を送信するために操作される。操作は、ステップ１８２０から接続ノードＤ１８２１を介してステップ１８０４へ進む。
【００６８】
ステップ１８１０へ戻ると、ステップ１８１０では、基地局が、現在の記号時間インデックスが非ビーコンストリップ記号の記号のインデックスと等しいかどうかを確認する。現在の記号時間インデックスが非ビーコンストリップ記号のインデックスに対応している場合、操作は接続ノードＢ１８３１を介してステップ１８３２へ進み、対応していない場合、操作は接続ノードＣ１８４１を介してステップ１８４２へ進む。
【００６９】
ステップ１８３２で、基地局は非ビーコンＯＦＤＭストリップ記号を生成する。ステップ１８３２は、サブステップ１８３４とサブステップ１８３６とを含む。サブステップ１８３４で、基地局は、例えば同報通信制御データなどの少なくとも一部の制御データを含む、非ビーコンＯＦＤＭストリップ記号本体部分を生成する。基地局は、非ビーコンストリップ記号のために使用される異なる区分に関連した区分電力レベル情報１８３３と、トーンの各々に関連した、例えば制御データを運搬するコンステレーション値などの変調記号値１８３５とを使用する。サブステップ１８３６で、基地局は、非ビーコンＯＦＤＭストリップ記号本体部分の末端部分のコピーである、非ビーコンＯＦＤＭストリップ記号循環プレフィックスを生成する。非ビーコンＯＦＤＭストリップ記号は、その本体部分がその循環プレフィックス部分の直ぐ後に続くように構成される。動作は、ステップ１８３２からステップ１８３８へ進む。ステップ１８３８で、基地局は非ビーコンＯＦＤＭストリップ記号を送信する。動作は、ステップ１８３８から接続ノードＤ１８２１を介してステップ１８０４へ進む。
【００７０】
一部の実施形態では、少なくとも一部の非ビーコンＯＦＤＭストリップ記号のために、基地局セクタ送信機はいかなる信号も送信することはない。例えば、１８スーパースロットのビーコンスロットを含む一部の例示的な単一キャリアの実施形態では、基地局セクタ送信機は１つのスーパースロットの２つのストリップ記号の間に多記号ビーコン／タイミング同期信号を送信して、２つのスーパースロットの各々の２つのストリップ記号の間に送信を行うことを抑制し、ビーコンスロットのうちの残りの１５スーパースロットの２つのストリップ記号の各々の間に、同報通信制御信号を送信する。
【００７１】
ステップ１８４２に戻ると、ステップ１８４２で、基地局はユーザデータＯＦＤＭ記号を生成する。ステップ１８４２は、サブステップ１８４４とサブステップ１８４６とを含む。サブステップ１８４４で、基地局はユーザデータ、制御データおよびパイロット信号情報のうちの少なくとも１つを含むユーザデータ本体部分を生成する。一部の実施形態では、各ＯＦＤＭユーザデータ記号は、例えば４つのダウンリンクトラヒックチャネル区分などの複数のダウンリンクトラヒックチャネル区分の一部を含む。基地局スケジューラは、各ダウンリンクトラヒックチャネル区分を１つまたは複数のユーザに対してスケジュールしてもよく、符号化されたユーザビットを運搬する変調記号値を含む。異なるダウンリンクトラヒックチャネル区分は、異なる送信電力レベルで送信されるために割り当てられてもよい。基地局は、ＯＦＤＭユーザデータ記号の本体部分を生成する際にユーザデータＯＦＤＭ記号のために使用される、例えばＤＬトラヒックチャネル区分、制御チャネル区分およびパイロットチャネル区分などの異なる区分に関連した区分電力レベル情報１８４３を使用する。基地局はまた、ＯＦＤＭユーザデータ記号の本体部分を生成する際に、ダウンリンクトラヒックチャネル区分のトーンの各々に関連した、例えば符号化されたユーザデータを運搬するコンステレーション値などのユーザデータ変調記号値１８４５、制御チャネル区分のトーンの各々に関連した、例えば制御データを運搬するコンステレーション値などの制御データ変調記号値１８４７、およびパイロットチャネル区分のトーンの各々に関連したパイロット変調記号値１８４９も使用する。
【００７２】
操作は、サブステップ１８４４からサブステップ１８４６へ進む。サブステップ１８４６で、基地局は、ユーザデータＯＦＤＭ記号の本体部分の末端部分のコピーであるユーザデータ循環プレフィックスを生成する。ＯＦＤＭユーザデータ記号は、その本体部分がその循環プレフィックス部分の直ぐ後に続くように構成される。操作は、ステップ１８４２からステップ１８４８へ進む。
【００７３】
ステップ１８４８で、基地局は、ユーザデータＯＦＤＭ記号を送信するために操作される。操作は、ステップ１８４８から接続ノードＤ１８２１を介してステップ１８０４へ進む。
【００７４】
様々な実施形態で、基地局セクタ送信機は、多記号信号の冒頭記号の中の任意の別のトーンよりも、多記号ビーコン／タイミング同期信号の単一のビーコントーンにより多くのエネルギーを配置するために制御される。一部の実施形態で、ビーコントーンに配置されるトーン当たりエネルギーは、冒頭記号の中に含まれた任意の別のトーンよりも、少なくとも６ｄＢ高い。例えば、一部の例示的な実施形態では、ビーコン信号のトーン当たり電力は、タイミング同期信号のトーン当たり電力よりも２４．５ｄＢ高い。様々な実施形態で、ユーザデータＯＦＤＭ記号の各々は、多記号ＯＦＤＭビーコン／タイミング同期信号の冒頭記号の中のトーンの最高のトーン当たり電力レベルよりも少なくとも６ｄＢ低いトーン当たりレベルで送信される。一部の実施形態で、各ＯＦＤＭ記号は、例えば１１３トーンのセットまたは３３９トーンのセットなどの基地局セクタ送信機によって使用される全ダウンリンクトーンセットを含む。
【００７５】
前述のとおり、一部の実施形態では、例えば２つの記号などの多記号の第２ＯＦＤＭ記号のビーコン／タイミング同期信号は、第１ＯＦＤＭ記号の循環拡張として構成される。
【００７６】
基地局のための例示的な単一のキャリアの操作では、多記号ビーコン／タイミング同期信号の第１および第２ＯＦＤＭ記号について、Ｖ４１およびＶ４２をベクトルＶ４［０：１４３］とする。ｋ＝０からｋ＝１２７については、Ｖ４２［ｋ］＝Ｖ４１［ｋ＋１６］である。ｋ＝１２８からｋ＝１４３については、Ｖ４２［ｋ］＝Ｖ４１［ｋ−１２８］である。
【００７７】
基地局のための例示的な３つのキャリアの操作では、多記号ビーコン／タイミング同期信号の第１および第２ＯＦＤＭ記号について、Ｖ４１およびＶ４２をベクトルＶ４＿５［０：５７５］とする。ｋ＝０からｋ＝５１２については、Ｖ４２［ｋ］＝Ｖ４１［ｋ＋６４］である。ｋ＝５１２からｋ＝５７５については、Ｖ４２［ｋ］＝Ｖ４１［ｋ−５１２］である。
【００７８】
本発明の技術は、ソフトウェア、ハードウェアおよび／またはソフトウェアとハードウェアとの組み合わせを使用して実装されてもよい。本発明は、例えば本発明を実装する移動端末などの移動ノード、基地局、通信システムなどの装置に関する。本発明はまた、本発明による、例えば移動ノード、基地局および／またはホストなどの通信システムを制御および／または操作するための方法などの方法にも関する。本発明はまた、本発明による１つまたは複数のステップを実施するために機械を制御するための機械可読命令を含む、例えばＲＯＭ、ＲＡＭ、ＣＤ、ハードディスク等の機械可読媒体にも関する。
【００７９】
様々な実施形態で、本明細書で説明されているノードは、例えば多記号信号の生成、ユーザ記号信号の生成および／または送信ステップなどの本発明の１つまたは複数の方法に対応するステップを実行するために、１つまたは複数のモジュールを使用して実装される。したがって一部の実施形態では、本発明の様々な機能は、モジュールを使用して実装される。そのようなモジュールは、ソフトウェア、ハードウェアまたはソフトウェアとハードウェアとの組み合わせを使用して実装される。上述の方法または方法ステップのうちの多くは、さらなるハードウェアを備えた、または備えていない汎用コンピュータなどの機械を制御するために、例えば１つまたは複数のノードの中で上述の方法のすべてまたは一部を実施するために、例えばＲＡＭ、フロッピー（登録商標）ディスク等のメモリ装置などの機械可読媒体の中に含まれた、ソフトウェアなどの機械実行可能命令を使用して実施されることが可能である。したがって、特に本発明は、プロセッサおよび関連したハードウェアなどの機械に上述の方法のステップのうちの１つまたは複数を実行させる機械実行可能命令を含む機械可読媒体に関する。
【００８０】
ＯＦＤＭシステムの状況の中で説明されてきたが、本発明の方法および装置のうちの少なくとも一部は、多くのその他の周波数分割多重方式システムおよび非ＯＦＤＭおよび／または非移動通信システムを含む広範囲にわたる通信システムに適用可能である。本発明の方法および装置のうちの多くはまた、多セクタ多セルの無線通信システムの状況の中で適用可能である。
【００８１】
上述の本発明の方法および装置についての多くのさらなる変形形態は、本発明の上の説明を考慮すれば、当業者には明らかであろう。そのような変形形態は、本発明の範囲内に入るものとみなされるべきである。本発明の方法および装置は様々な実施形態の中で、ＣＤＭＡ、直行周波数分割多重方式（ＯＦＤＭ）、および／またはアクセスノードと移動ノードとの間に無線通信を提供するために使用されてもよい様々なその他の種類の通信技術とともに使用されてよい。一部の実施形態で、アクセスノードは、ＯＦＤＭおよび／またはＣＤＭＡを使用する移動ノードと通信リンクを確立する基地局として実装される。様々な実施形態で、移動ノードはノートブックコンピュータ、携帯情報端末、または本発明の方法を実施するための受信機／送信機回路および論理および／またはルーチンを含むその他の携帯装置として実装される。
【図面の簡単な説明】
【００８２】
【図１】本発明によって実装される例示的な無線通信システムを示す図。
【図２】本発明によって実装される例示的な基地局を示す図。
【図３】本発明によって実装される例示的な無線端末を示す図。
【図４】本発明の例示的な実施形態による例示的なシグナリングを示す図。
【図５】本発明の別の例示的な実施形態による例示的なシグナリングを示す図。
【図６】本発明の別の例示的な実施形態による例示的なシグナリングを示す図。
【図７】本発明の別の例示的な実施形態による例示的なシグナリングを示す図。
【図８】本発明による例示的なシグナリングを示す図。
【図９】本発明の一部の実施形態による、ユーザデータを含む例示的なビーコン／タイミング同期同報通信複合多記号信号およびその後に続くシグナリングを示す図。
【図１０】例示的なＯＦＤＭ送信時間間隔の分割、および変調記号値を運搬するために使用される例示的なシグナリングを示すために使用される図。
【図１１】例示的な１１３トーン、１．２５ＭＨｚの実施形態における、例えばビーコン／タイミング同期信号などの例示的な多記号送信信号の中で使用される信号生成パターンを表す図。
【図１２】本発明による例示的なビーコン信号／タイミング同期信号構成をさらに示す図。
【図１３】典型的なＯＦＤＭシグナリングを使用する連続したＯＦＤＭユーザデータ記号の概念を示す図。
【図１４】本発明による、ビーコン／タイミング同期シグナリングの概念を示す図。
【図１５】例示的なＯＦＤＭ送信時間間隔の分割、および変調記号値を運搬するために使用される例示的なシグナリングを示すために使用される図。
【図１６】例示的な３９９トーン、５ＭＨｚの実施形態における、例えばビーコン／タイミング同期信号などの例示的な多記号送信信号の中で使用される信号生成パターンを表す図。
【図１７】本発明による例示的なビーコン信号／タイミング同期信号構成をさらに示す図。
【図１８】図１８が図１８Ａ、図１８Ｂ、図１８Ｃおよび図１８Ｄからなることを示す図。
【図１８Ａ】本発明による基地局の例示的な操作方法の流れ図。
【図１８Ｂ】本発明による基地局の例示的な操作方法の流れ図。
【図１８Ｃ】本発明による基地局の例示的な操作方法の流れ図。
【図１８Ｄ】本発明による基地局の例示的な操作方法の流れ図。
【図１】
2009524359.tif 000003
【図２】
2009524359.tif 000004
【図３】
2009524359.tif 000005
【図４】
2009524359.tif 000006
【図５】
2009524359.tif 000007
【図６】
2009524359.tif 000008
【図７】
2009524359.tif 000009
【図８】
2009524359.tif 000010
【図９】
2009524359.tif 000011
【図１０】
2009524359.tif 000012
【図１１】
2009524359.tif 000013
【図１２】
2009524359.tif 000014
【図１３】
2009524359.tif 000015
【図１４】
2009524359.tif 000016
【図１５】
2009524359.tif 000017
【図１６】
2009524359.tif 000018
【図１７】
2009524359.tif 000019
【図１８】
2009524359.tif 000020
【図１８Ａ】
2009524359.tif 000021
【図１８Ｂ】
2009524359.tif 000022
【図１８Ｃ】
2009524359.tif 000023
【図１８Ｄ】
2009524359.tif 000024
【国際調査報告】
2009524359.tif 000025
2009524359.tif 000026
2009524359.tif 000027
2009524359.tif 000028
2009524359.tif 000029